(57)【要約】【課題】基地局の冷却ファンが停止する前に突発的な異常も含めた冷却ファンの異常を遠隔で容易に検出し、冷却ファンの異常に対して迅速な対応を図る。【解決手段】基地局１において、監視基板１１がマイク１１ｃを有し、冷却ファン１２の動作音を含む基地局１内の音を集音した集音データを異音の判別部に転送する。判別部では、集音データに基づいて冷却ファン１２の異音が発生しているか否かを判別し、判別結果を遠隔のセンター局に通知する。その異音の判別結果により、センター局においては、冷却ファン１２に異常が発生しているか否かや発生している異常の内容等が把握される。【選択図】図１
2007228477.tif 000002
【特許請求の範囲】
【請求項１】
通信ネットワークの基地局を当該基地局とは離間して設けられた監視局で遠隔監視する遠隔監視システムであって、
前記基地局に設けられ、冷却ファンの動作音を検出する検出手段と、
前記検出手段により検出された前記冷却ファンの動作音に基づいて前記冷却ファンの異音を判別する判別手段と、を備え、
監視局が前記判別手段の判定結果に基づいて前記冷却ファンの動作状態を監視することを特徴とする基地局の遠隔監視システム。
【請求項２】
前記判別手段は、基地局に設けられ、冷却ファンの異音の判別結果を監視局に送信する請求項１記載の基地局の遠隔監視システム。
【請求項３】
前記判別手段は監視局に設けられ、基地局は検出手段が検出した冷却ファンの動作音を監視局の前記判別手段に送信する請求項１記載の基地局の遠隔監視システム。
【請求項４】
前記判別手段は、冷却ファンの正常動作音を示す正常動作音データを予め記憶し、検出手段により検出された動作音と前記正常動作音データとを比較することにより前記冷却ファンの異音を判別する請求項１〜３いずれかに記載の基地局の遠隔監視システム。
【請求項５】
前記判別手段は、冷却ファンの動作音の大きさの変化によって前記冷却ファンの異音を判別する請求項１〜３いずれかに記載の基地局の遠隔監視システム。
【請求項６】
前記判別手段は、冷却ファンの動作音の周波数の変化に基づいて前記冷却ファンの異音を判別する請求項１〜４いずれかに記載の基地局の遠隔監視システム。
【請求項７】
基地局がマイクを有する試験用擬似端末を備え、前記マイクを冷却ファンの動作音を検出する検出手段とする請求項１〜６いずれかに記載の基地局の遠隔監視システム。
【発明の詳細な説明】
【技術分野】
【０００１】
本発明は、通信ネットワークの基地局を遠隔で監視する遠隔監視システムに関する。
【背景技術】
【０００２】
通信ネットワークを構成する複数の基地局は、機能停止を来たさないことが重要な要件として求められるので、様々な監視手法で監視されている。基地局に設けられる空冷用ファンは、その監視対象の１つであり、下記特許文献１には、無線基地局の増幅器を冷却する冷却ファンの回転異常を監視する技術が開示されている。この監視技術は、冷却ファン回転数の異常や段階的に区分した減速率を無線基地局内に設けたＬＥＤ（Light Emitting Diode）によって表示し、無線基地局を巡回監視する監視員がＬＥＤの点灯状態を確認することによって冷却ファンの異常を確認するものである。
【特許文献１】特開２００３−１６９０２９号公報
【発明の開示】
【発明が解決しようとする課題】
【０００３】
基地局に設けられる冷却ファンの故障は、機能停止を来す基地局内の温度上昇につながり、早急に修復しなければならない重大な故障であるため、冷却ファンの停止の監視や温度上昇時のシステム停止動作等、二重三重の対策が採られている。これに対し、上記特許文献１の技術は、ＬＥＤの表示によって冷却ファンの異常発生が近いことを確認できるが、監視員が無線基地局に出向いてＬＥＤの点灯状態を確認するので、その確認をするには手間がかかり、速やかな対策を施すことができないという問題がある。また、冷却ファンの故障には、回転数が徐々に変化する摩耗等による故障のみならず、異物の侵入等による突発的な故障もあるので、単に回転数を監視するだけでは不十分であるという問題もある。
【０００４】
本発明は、このような事情に鑑みてなされたものであり、基地局の冷却ファンが停止する前に突発的な異常も含めた冷却ファンの異常を遠隔で容易に検出することを可能にし、発生した冷却ファンの異常に対して迅速な対応を図ることを目的としている。
【課題を解決するための手段】
【０００５】
上記目的を達成するため、本発明では、基地局の遠隔監視システムに係る第１の解決手段として、通信ネットワークの基地局を当該基地局とは離間して設けられた監視局で遠隔監視する遠隔監視システムにおいて、基地局に設けられ、冷却ファンの動作音を検出する検出手段と、検出手段により検出された冷却ファンの動作音に基づいて冷却ファンの異音を判別する判別手段と、を備え、監視局が判別手段の判定結果に基づいて冷却ファンの動作状態を監視する、という手段を採用する。
【０００６】
また、基地局の遠隔監視システムに係る第２の解決手段として、上記第１の解決手段において、判別手段は、基地局に設けられ、冷却ファンの異音の判別結果を監視局に送信するという手段を採用する。
【０００７】
基地局の遠隔監視システムに係る第３の解決手段として、上記第１の解決手段において、判別手段は監視局に設けられ、基地局は検出手段が検出した冷却ファンの動作音を監視の判別手段に送信する、という手段を採用する。
【０００８】
基地局の遠隔監視システムに係る第４の解決手段として、上記第１〜第３いずれかの解決手段において、判別手段は、冷却ファンの正常動作音を示す正常動作音データを予め記憶し、検出手段により検出された動作音と正常動作音データとを比較することにより冷却ファンの異音を判別する、という手段を採用する。
【０００９】
基地局の遠隔監視システムに係る第５の解決手段として、上記第１〜第３いずれかの解決手段において、判別手段は、冷却ファンの動作音の大きさの変化によって冷却ファンの異音を判別する、という手段を採用する。
【００１０】
基地局の遠隔監視システムに係る第６の解決手段として、上記第１〜第４いずれかの解決手段において、判別手段は、冷却ファンの動作音の周波数の変化に基づいて冷却ファンの異音を判別する、という手段を採用する。
【００１１】
基地局の遠隔監視システムに係る第７の解決手段として、上記第１〜第６いずれかの解決手段において、基地局がマイクを有する試験用擬似端末を備え、前記マイクを冷却ファンの動作音を検出する検出手段とする、という手段を採用する。
【発明の効果】
【００１２】
このような本発明によれば、基地局に設けられた冷却ファンの動作音を検出すると共に、その検出した動作音に基づいて冷却ファンの異音を判別し、当該異音の判別結果によって遠隔で冷却ファンの動作状態を監視するので、冷却ファンの異音に現れる異常を監視することができる。これにより、基地局の冷却ファンが停止する前に突発的な異常も含めた冷却ファンの異常を遠隔で容易に認知することが可能となり、冷却ファンの異常に対して迅速な対応を図ることができる。
【発明を実施するための最良の形態】
【００１３】
以下、図面を参照して本発明の実施の形態について説明する。
図１は、本実施形態に係る基地局の遠隔監視システムの構成を示すブロック図である。この遠隔監視システムは、図示するように基地局１と該基地局１から離間した位置に設けられたセンター局２（監視局）とから構成されている。基地局１は、図示のように制御基板１０、監視基板１１、冷却ファン１２及びバックプレーン１３を有している。なお、図１では省略してあるが、基地局１は、携帯電話の基地局として必要な他の構成（例えばアンテナや上位局との通信機能）及びセンター局２との通信を可能とする構成を適宜備えている。
【００１４】
制御基板１０は、基地局制御部１０ａを有している。基地局制御部１０ａは、基地局１全体の動作を制御する主制御部として機能し、監視基板１１に対しては定期的に基地局１内の音の集音を指示する集音試験要求を与える。監視基板１１は、基板制御部１１ａ、マイク制御部１１ｂ及びマイク１１ｃを有している。基板制御部１１ａは、制御基板１０からの集音試験要求に基づいてマイク制御部１１ｂに集音指示を与え、マイク１１ｃによる基地局１内の集音を行わせる。マイク制御部１１ｂは、基板制御部１１ａからの集音指示に基づいてマイク１１ｃを制御すると共に、マイク１１ｃでの集音による集音データを取得して基板制御部１１ａに供給する。
【００１５】
マイク１１ｃは、冷却ファン１２の動作音を検出できる所定の位置に設置されており、マイク制御部１１ｂによる制御の下で集音動作を行い、その集音により得られた基地局１内の音の集音データをマイク制御部１１ｂに出力する。これにより、基板制御部１１ａに対しては、冷却ファン１２の動作音を含む基地局１内の音の集音データがマイク制御部１１ｂからの集音データとして供給される。冷却ファン１２は、上記制御基板１０、監視基板１１、バックプレーン１３及びこれら各部に電源を供給する電源装置等を強制空冷するために基地局１内に設けられたファンである。
【００１６】
バックプレーン１３は、制御基板１０、監視基板１１、冷却ファン１２、及び基地局１を遠隔地で監視するセンター局２を相互接続する配線基板である。基地局１においては、制御基板１０及び監視基板１１が他のアプリケーション機能（基地局１に必要な携帯電話との通信機能やセンター局２との通信機能等）毎に設けられた基板と共にラックに収納され、それらの基板と冷却ファン１２がバックプレーン１３に接続されており、制御基板１０、監視基板１１、冷却ファン１２及びセンター局２は、バックプレーン１３を介して信号の授受を行う。冷却ファン１２は、その信号授受によって回転駆動の動作を制御されるが、基地局１内の基板を強制空冷する冷却ファン１２としては、前記ラックの上側ないし下側に各基板間の隙間で空気の対流を生じさせる１ないし複数のファントレーが設けられている。
【００１７】
本遠隔監視システムは、上記基地局１内における冷却ファン１２の動作音をモニタリングし、冷却ファン１２の異音を判別することによって冷却ファン１２の異常を監視する。上記マイク１１ｃは基地局１内で発生した様々な音を集音するが、発音基地局１内における発音源は主に冷却ファン１２の動作音であり、そのレベルも他の機器が発生する音よりも極端に大きい。したがって、他の機器が発生する音は無視することができる。本遠隔監視システムは、冷却ファン１２の異音の判別に必要な判別部、基地局内の音に関する集音データ及び音声信号用のフィルタを制御基板１０、監視基板１１又はセンター局２に備えている。
【００１８】
次に、このように構成された本遠隔監視システムの動作について詳しく説明する。
本遠隔監視システムにおいて、基板制御部１１ａは、制御基板１０からの定期的な集音試験要求に基づいてマイク制御部１１ｂを制御することによりマイク１１ｃに基地局１内の音を集音させる。そして、マイク１１ｃで集音された音の集音データを集音試験要求に対する集音データとして基板制御部１１ａがマイク制御部１１ｂを介して取得し、判別部において異音を検出する判別処理を実行することにより冷却ファン１２の状態を判定する。
【００１９】
判別部での異音の判別処理としては、例えば次のような形態のものが挙げられる。
（１）正常状態の基地局１内の音を予めサンプルとして集音しておき、そのサンプル音と定期的にマイク１１ｃから取り込んだ集音データの音を比較する。冷却ファン１２は異常が発生すると動作音が変化し、それによる異常状態では基地局１内の音に正常状態のときとの差異が生じるので、サンプル音との一致が確認できないときに異音が発生しているものと判別し、その判別結果を制御基板１０ないし監視基板１１からセンター局２に通知する。判別結果の通知では、例えば、異音と判別された音の集音データやその集音日時等を送信し、センター局２で受信した集音データの音を実際に聞いたりすることによって冷却ファン１２の状態を判定する。センター局２で実際の音を確認することとすれば、冷却ファン１２の異常以外の要因で異音が発生している場合にも状況を推定することができる。
【００２０】
（２）冷却ファン１２の劣化による異音の集音データを予めサンプルとして集音できる場合には、そのサンプル異音の集音データと集音データの相関性を確認することによって異音を判別する（異音が発生しているか否かに加え、異音が冷却ファン１２の劣化によるものか否かが判別できる。）。これにより、冷却ファン１２の異音をより正確に検出することができ、判別結果を冷却ファン１２の異常を示すより正確な情報としてセンター局２に通知する。
（３）集音された基地局１内の音のうち、冷却ファン１２の動作音の周波数帯域にある音をモニタリングし、その音のレベルや周波数が変化したときに異音が発生しているものと判別してセンター局２に通知する。
【００２１】
正常状態の基地局では、冷却ファン１２の正常な回転音とリレースイッチの切替え音等が内部で発生するが、ある程度のレベルで常時発生しているのはファンの回転音のみである。このため、基地局１内の音は主に冷却ファン１２の動作音であるとみなすこともできるので、上記（１）や（２）の形態によって冷却ファン１２の異音を判別することができる。ただし、その判別をするに当たっては、上記サンプル音やサンプル異音の集音データを予め用意しておく必要があるので、集音したサンプル音やサンプル異音の集音データを記憶した集音データベース等を予め備えておくものとする。
【００２２】
一方、上記（３）の形態は、基地局１内の音から冷却ファン１２の動作音を抽出し、冷却ファン１２の動作音のみに着目して異音を判別する形態である。すなわち、基地局１の内部で発生する音のうち、冷却ファン１２の正常な動作音である回転音は低い周波数の音であるのに対し、それ以外のリレースイッチの切替え音等は高い周波数の金属音であることから、高周波成分の金属音をカットしてファンの動作音を通過させる音声信号用のフィルタを用いれば基地局１内の音から冷却ファン１２の動作音を抽出することができる。そこで、上記（３）の形態では、冷却ファン１２の動作音の周波数帯域を通過帯域とするローパスフィルタをマイク１１ｃの音声信号出力部、マイク制御部１１ｂ又は基板制御部１１ａ等に設け、そのローパスフィルタを通じて集音データを取得することにより、基地局１内の音から冷却ファン１２の動作音を抽出する。
【００２３】
冷却ファン１２の動作音の周波数帯域としては、冷却ファン１２の正常な回転音の基本周波数や他の冷却ファン１２の動作音を特徴付ける特定の音声周波数を含む周波数帯域を選定し、その周波数帯域のファン音レベルやファン音周波数をモニタリングして異音を判別する。例えば、集音データのファン音レベルが大きくなったり小さくなったりしたときには、冷却ファン１２の異音が発生しているものと判別する。また、冷却ファン１２の回転が減衰すると回転音は低くなるので、集音データのファン音周波数が低くなったときには、冷却ファン１２の異音が発生しているものと判別する。さらに、冷却ファン１２に異物が侵入すると冷却ファン１２の動作音は基本周波数が本来の基本周波数からずれた音に変化するので、そのような変化が集音データのファン音周波数に認められたときには、冷却ファン１２の異音が発生しているものと判別する。
【００２４】
このようにしてファン音レベルやファン音周波数から異音の判別がなされたときには、その判別結果によって直ちに冷却ファン１２に異常が発生しているものと判定することができ、さらに、如何なる異常が発生しているかも判定することができる。例えば、ファン音周波数が低くなったときには、冷却ファン１２の回転が減衰していると判定することができ、ファン音周波数の基本周波数が変化したり、ファン音レベルないしファン音周波数が急激に変化したりしたときには、冷却ファン１２に異物の侵入等による突発的な異常が発生したと判定することができる。これにより、上記（３）の形態では、判別部が単に異音を判別するのみならず、その判別結果に基づいて冷却ファン１２の状態を判定し、冷却ファン１２の異音に加えて冷却ファン１２の異常発生と異常内容をセンター局２に通知する。
【００２５】
本遠隔監視システムでは、以上のような冷却ファン１２の動作音に基づく判別処理によって冷却ファン１２の異音（異常）を監視するが、上記（１）〜（３）の形態等による判別処理は、適宜組み合わせて併用するものとしてもよい。基地局１に設けられた冷却ファン１２の動作音は、当該冷却ファン１２の動作状態を敏感に表すので、これらの判別処理によれば、冷却ファン１２が停止する前に突発的な異常も含めた冷却ファン１２の異常をセンター局２で容易に検出することが可能となり、発生した冷却ファン１２の異常に対して迅速な対応を図ることができる。
【００２６】
判別処理を行う判別部については、監視基板１１が有するものとしてもよく、制御基板１０が有するものとしてもよく、センター局２が有するものとしてもよい。要するに、基地局１内の集音データを判別部まで転送し、判別部にてサンプル音との比較や動作音変化のモニタリング等をする上記判別処理を行い、最終的に判別結果をセンター局２に通知できればよい。
【００２７】
例えば、上記サンプル音ないしサンプル異音等の事前サンプルの集音データを予め備え、判別部で上記（１）ないし（２）の形態等による判別処理を行う場合、本遠隔監視システムを適用する全基地局１で共通の事前サンプル・データが使用できるときには、センター局２に集音データと判別部を備えることとした方が効率良く遠隔監視を実施することができる。これに対し、各基地局１の設置環境における他の音の影響等によって各基地局１で個別の集音データが必要となるときには、各基地局１内の監視基板１１や制御基板１０等に判別部と当該各基地局１特有の集音データを備えることとした方が効率良く遠隔監視を実施することができる。
【００２８】
次に、上述のように冷却ファン１２の異音を判別し、遠隔地で冷却ファン１２の状態を監視する遠隔監視の実施動作について説明する。図２は、センター局２において基地局１の冷却ファン１２の異常を監視する動作の流れを示した図であり、“（ａ）監視基板１１に判別部がある場合”、“（ｂ）制御基板１０に判別部がある場合”及び“（ｃ）センター局２に判別部がある場合”の３つの場合を例として挙げ、それぞれの場合に送受信される要求及び通知によって遠隔監視の実施動作を表している。これらの場合においては、制御基板１０からの集音試験要求により監視基板１１で定期的に基地局１内の音を集音する動作は共通しており、それ以後の動作が判別部の設置箇所によって異なるものとなっている。
【００２９】
“（ａ）監視基板１１に判別部がある場合”においては、監視基板１１が集音試験要求を受けて取得した集音データに基づき、監視基板１１の判別部が冷却ファン１２の異音を判別する。そして、判別結果を通知する集音結果正常異常通知を監視基板１１が制御基板１０に送出し、その集音結果正常異常通知を制御基板１０がセンター局２に転送する。集音結果正常異常通知としては、例えば、冷却ファン１２の異音が発生しているか否か、冷却ファン１２の状態が正常か異常か、冷却ファン１２に如何なる異常が発生しているか（回転の減衰か突発的な異常か等）の情報を通知し、必要に応じて通知情報に集音データを含めるものとしてもよい。“（ｂ）制御基板１０に判別部がある場合”においては、監視基板１１が取得した集音データを集音データ通知として制御基板１０に転送する。そして、制御基板１０の判別部が冷却ファン１２の異音を判別し、制御基板１０が集音結果正常異常通知をセンター局２に送信する。“（ｃ）センター局２に判別部がある場合”においては、監視基板１１が取得した集音データを集音データ通知として制御基板１０に転送し、その集音データ通知を制御基板１０がセンター局２に転送する。そして、センター局２の判別部が冷却ファン１２の異音を判別し、センター局２において集音結果正常異常通知の情報と同様の判別結果を得る。
【００３０】
センター局２では、このようにして集音結果正常異常通知の情報が取得され、冷却ファン１２の動作音に応じて動作が正常か異常かが把握される。これにより、冷却ファン１２の異常を異音によって監視する基地局１の遠隔監視が実施され、特に、回転の減衰等に現れる冷却ファン１２の経時劣化による異常と突発的な故障等の異常の双方を遠隔で監視して検出することが可能となり、異常発生時には早期に冷却ファン１２の交換ないし修理等の対応を図ることができる。また、冷却ファン１２の故障は直ちに基地局１内の温度上昇等を招くが、冷却ファン１２の完全な故障を検出する前に異音によって冷却ファン１２の劣化を検出することができるので、冷却ファン１２の交換準備を予め進めておくこともできる。
【００３１】
ところで、基地局の制御技術の一つとして、基地局の中に試験用擬似端末を内蔵し、上記センター局２のように離れた場所から無線部の監視や試験を行う技術がある。図３は、かかる試験用擬似端末を内蔵した基地局３の構成の概略を示した図である。基地局３は、図示のように基地局３全体の動作を制御する基地局主制御部３０、基地局主制御部３０の無線部と接続されたアンテナ３１、及び基地局主制御部３０とアンテナ３１の間に有線接続された試験用擬似端末３２を有している。
【００３２】
試験用擬似端末３２は、ＵＡＲＴ（Universal Asynchronous Receiver/Transmitter（万能非同期送受信機））やＵＳＢ（Universal Serial Bus（ユニバーサル・シリアル・バス））等のインターフェースを搭載しており、そのインターフェースを介して基地局主制御部３０からの試験要求の受信や基地局主制御部３０への結果応答の送信を行う。ただし、試験用擬似端末３２は、基地局３付近に設けられ、基地局主制御部３０とアンテナ３１の間には有線接続されるが、基地局主制御部３０との通信は無線で行う場合もある。
【００３３】
このような構成において、試験用擬似端末３２は、基地局主制御部３０からの試験要求に応じて図中の無線部試験経路を介する送受信動作の試験（例えば発呼や着呼の試験等）を行う。そして、その試験結果を結果応答として基地局主制御部３０が受けることにより、アンテナ入出力端における無線部の動作が正常であるかどうかの確認を行うことができるようになっている。
【００３４】
例えば、１ｘＥＶ−ＤＯ（1x Evolution Data Only）によるデータ通信ネットワークの基地局は、試験用擬似端末３２に相当するＴＡＴ（Test Access Terminal（疑似端末機能））基板を備えており、上記基地局３の一例に当たる。その基地局では、如何なる試験を行うかをＴＡＴ基板と基地局主制御部の間で制御しつつ、無線部の監視や試験を行う。例えば、無線部から外部へと出力される信号をＴＡＴ基板上のＡＴ（Access Terminal）に入力し、ＡＴの移動端末としての機能によって無線部の試験を行う。
【００３５】
上記遠隔監視システムは、基地局１内にマイク１１ｃを設置することにより異音を検出して冷却ファン１２の異常を監視することとしたが、このような試験用擬似端末を内蔵する基地局に関しては容易に実施することが可能である。すなわち、基地局に内蔵される試験用擬似端末は、発着呼等の無線部の監視試験を行うことができればよいため、通常はごく限られた基本機能しか備えておらず、他の機能を備える必要性がない。しかし、移動端末は、近年の携帯電話機等に見られるようにカメラやマイク、スピーカ、加速度センサ等の様々な機能が搭載されたものが一般に普及しており、高機能かつ高性能なものになっている。ＴＡＴ基板等の試験用擬似端末では、かかる機能は不用なものとして削除されているだけなので、それを削除せずに搭載することは近年の移動端末の技術を利用すれば容易であり、上記監視基板１１のようにマイク機能を備えた監視基板を容易に構成することができる。したがって、試験用擬似端末を内蔵する基地局にあっては、基地局内の音を記録するマイク機能を試験用擬似端末に搭載することにより、従来は機能上不用として削除されていた機能を有効に活用してファンの異常を監視する上述した基地局の遠隔監視を実施することができる。
【００３６】
具体的には、監視基板１１において、上記マイク制御部１１ｂに相当するものとして試験用擬似端末の機能を担う移動端末機能部を搭載する。この移動端末機能部は、携帯電話機等が備えているマイク機能を有するものとし、そのマイク機能の集音部を上記マイク１１ｃに相当するものとして冷却ファン１２の動作音を検出できる所定の位置に設ける。これにより、試験用擬似端末を利用して上記遠隔監視システムの構成を実現することができ、上記同様に基地局内の音を集音して遠隔のセンター局等で冷却ファンの状態を監視することが可能となり、異常に対して迅速な対応を図ることができる。従来、マイク機能を搭載した試験用擬似端末なるものは何等の必要性もなかったが、そのマイク機能を活用して基地局内の音を監視することにより、冷却ファンの異常を早期かつ的確に判別することが可能な基地局の遠隔監視を実現することができる。
【００３７】
なお、以上の遠隔監視システムにおいて、基地局に複数の冷却ファンが設けられている場合には、それらの冷却ファンの動作音を基地局の複数の場所で集音する外部ステレオマイクを上述のマイクとして設けることにしてもよい。かかる外部ステレオマイクによれば、各場所で集音された音から異常が発生した冷却ファンの位置を特定することができる。また、以上の遠隔監視システムでは、動作音によって冷却ファンの異常を監視するので、冷却ファン毎に基地局内で動作状態を表示するＬＥＤ等を設ける必要はない。
【図面の簡単な説明】
【００３８】
【図１】本発明の一実施形態に係る基地局の遠隔監視システムにおける携帯電話の基地局１の構成を示すブロック図である。
【図２】本発明の一実施形態において、遠隔のセンター局が基地局１の冷却ファン１２の異常を監視する動作の流れを示した図である。
【図３】本発明の一実施形態において、試験用擬似端末を内蔵した基地局３の構成の概略を示した図である。
【符号の説明】
【００３９】
１、３…基地局、２…センター局、１０…制御基板、１１…監視基板、１１ｂ…マイク制御部、１１ｃ…マイク、１２…冷却ファン、３２…試験用擬似端末
【図１】
2007228477.tif 000003
【図２】
2007228477.tif 000004
【図３】
2007228477.tif 000005